(57)【要約】【課題】ユーザが通信端末によってデータを収集する行為により、コンテンツを完成させる楽しみと、商品の販売促進、集客促進および広告効果向上の少なくともいずれかとを両立させるシステムを提供する。【解決手段】本発明のコンテンツ提供システムは、データ提供媒体としての商品２００と通信端末３００とを含む。商品２００は、コンテンツを構成する複数の部分データを個別にダウンロードするための二次元コード２５０を提示する。通信端末３００は、この二次元コード２５０から情報を取得して部分データをダウンロードし、ダウンロードされた当該部分データを他の部分データとともにコンテンツの利用に供する。【選択図】図１
2015230659.tif 000002
【特許請求の範囲】
【請求項１】
コンテンツを構成する複数の部分データを個別にダウンロードするためのタグを提示する、商品、施設および広告の少なくともいずれかのデータ提供媒体と、
前記タグから情報を取得して部分データをダウンロードし、ダウンロードされた前記部分データを他の部分データとともに前記コンテンツの利用に供する通信端末とを含む、コンテンツ提供システム。
【請求項２】
前記部分データが、前記コンテンツの断片データである、請求項１に記載のコンテンツ提供システム。
【請求項３】
前記部分データが、前記コンテンツのデータの少なくとも一部にマスキングが付されたデータおよび前記マスキングを解除するデータの少なくともいずれかである、請求項１に記載のコンテンツ提供システム。
【請求項４】
前記複数の部分データを提供するサーバを含み、
前記タグが、少なくとも前記サーバのＵＲＬを含むデータコードであり、
前記通信端末が、前記タグから少なくとも前記サーバのＵＲＬを取得して前記サーバにアクセスし、前記部分データをダウンロードする、請求項１から３のいずれか１項に記載のコンテンツ提供システム。
【請求項５】
前記タグが、前記部分データを記憶した無線タグであり、前記通信端末が、前記無線タグと通信して前記部分データを取得する、請求項１から３のいずれか１項に記載のコンテンツ提供システム。
【請求項６】
前記通信端末が、少なくとも前記部分データおよび前記他の部分データの複合処理を行い、前記コンテンツを利用可能とする、請求項１から５のいずれか１項に記載のコンテンツ提供システム。
【請求項７】
前記コンテンツの利用において、前記部分データをダウンロードした前記通信端末による前記部分データの表示または再生と、前記他の部分データをダウンロードした他の通信端末による前記他の部分データの表示または再生とを、同時にまたは既定の順番で行う、請求項１から５のいずれか１項に記載のコンテンツ提供システム。
【請求項８】
前記コンテンツが、静止画、音楽、文章、書籍、動画、およびゲームアイテムの少なくともいずれかである、請求項１から７のいずれか１項に記載のコンテンツ提供システム。
【発明の詳細な説明】
【技術分野】
【０００１】
本発明は、コンテンツ提供システムに関する。より具体的には、本発明は、商品の販売促進、集客促進および広告効果向上などを促進するコンテンツ提供システムに関する。
【背景技術】
【０００２】
特開２００６−０９５０８９号公報（特許文献１）に、遊技に関する遊技関連情報を生成する遊技関連情報生成手段と、遊技関連情報を構成する断片情報がコード化されたコード情報を記憶するコード情報記憶手段と、前記遊技関連情報生成手段により生成された遊技関連情報に基づいて、当該遊技関連情報を構成する複数の断片情報の各々に対応したコード情報を、前記コード情報記憶手段から抽出する抽出手段と、前記抽出手段により抽出された複数のコード情報を、外部から撮像手段により撮像可能な態様で表示するコード情報表示手段とを備えたことを特徴とする遊技機が開示されている。
【０００３】
特開２００２−３４２４９３号公報（特許文献２）に、野外のフィールドまたは室内の疑似的なフィールドに分散して配置され、野外に関連した学習対象に関する情報を分割した分割情報を分散して蓄積するとともに、通信機能を有して通信可能な位置に到達した端末装置に該分割情報を送信する複数個の標識装置と、該標識装置から受信した分割情報を収集・保存して編集し全体情報を構成する機能とともに該分割情報および該全体情報を表示する機能を持ち学習者が携帯する該端末装置とを備えることを特徴とする野外教育システムが開示されている。
【先行技術文献】
【特許文献】
【０００４】
【特許文献１】特開２００６−０９５０８９号公報
【特許文献２】特開２００２−３４２４９３号公報
【発明の概要】
【発明が解決しようとする課題】
【０００５】
特許文献１の技術は、パチスロ液晶に表示された複数の２次元コードから、パチスロのＢＢ中におけるメダル払出数、メダル出率、パチスロの設定値を表す遊技関連情報の断片を携帯電話で取得し、取得した複数の遊技関連情報の断片から、遊技関連情報の全体を把握する技術である。これによって、遊技の面白みおよび公平性を損なうことなく、遊技者にとって関心が高い情報を遊技者に提供することができる。
特許文献２の技術は、野外に設置された複数の無線タグから、映像・文章・楽譜等の映像情報、文字情報、音楽情報のデジタル破片を携帯電話で取得し、取得したデジタル破片を組み合わせ、対象物の全体像をあぶり出す技術である。これによって、フィールド環境において、楽しく遊びながら自然および環境の知識を向上させることができる。
【０００６】
上記のいずれの技術も、本来完全であるべきデータの部分的な情報を携帯電話で読み取り、当該部分的な情報を集めることで、データの全体を把握するものである。しかしながら、いずれの技術によっても、データの収集行為を、商品の販売促進、集客促進および広告効果向上などに結びつけることはできない。
【０００７】
本発明の目的は、ユーザが通信端末によってデータを収集する行為により、コンテンツを完成させる楽しみと、商品の販売促進、集客促進および広告効果向上の少なくともいずれかとを両立させるシステムを提供することにある。
【課題を解決するための手段】
【０００８】
（１）
本発明のコンテンツ提供システムは、商品、施設および広告の少なくともいずれかのデータ提供媒体と、通信端末とを含む。データ提供媒体は、コンテンツを構成する複数の部分データを個別にダウンロードするためのタグを提示する。通信端末は、このタグから情報を取得して部分データをダウンロードし、ダウンロードされた当該部分データを他の部分データとともにコンテンツの利用に供する。
【０００９】
この構成によって、ユーザにとって、部分データを収集してコンテンツを完成させる楽しみを生じさせることができる。さらに、コンテンツを利用可能とするためには、商品の複数回の購入、施設への複数回の立寄り、および広告の複数回の閲覧の少なくともいずれかを行って部分データを必要量収集する必要があるため、ユーザが通信端末によってデータを収集する行為により、商品の販売促進、集客促進および広告効果向上の少なくともいずれかが可能になる。
【００１０】
なお、本発明においてタグとは、部分データの取得のために、データ提供媒体（商品、施設、広告）と通信端末とを媒介する対象であって、当該データ提供媒体によって提示され、かつ通信端末に取得させるべき情報を提供するものである。たとえば、部分データの取得に必要な情報（たとえば、ＵＲＬ、メールアドレスなど）を表した文字列；部分データの取得に必要な情報または部分データそのものを提供するＡＲマーカ；部分データの取得に必要な情報または部分データそのものを提供する無線タグ；部分データの取得に必要な音情報を発する音声発信機などによって具現化されうる。
【００１１】
（２）
本発明のコンテンツ提供システムにおいては、部分データは、コンテンツの断片データであってよい。
【００１２】
この場合、断片データを足し合わせることで、コンテンツを利用可能な状態にすることができる。たとえば、一台の通信端末内で断片データを複合させることでコンテンツを利用することができる。またたとえば、複数台の通信端末で断片データを、同時または既定の順番で、表示または再生することによって、コンテンツを利用することができる。
【００１３】
（３）
本発明のコンテンツ提供システムにおいては、部分データは、コンテンツのデータの少なくとも一部にマスキングが付されたデータ、および当該マスキングを解除するデータの少なくともいずれかであってよい。
【００１４】
この場合、コンテンツのデータの少なくとも一部にマスキングが付されたデータから、マスキングを解除することによって、コンテンツを利用することができる。通常、コンテンツ１つにつき、コンテンツのデータの一部にマスキングが付されたデータは１つ、マスキングを解除するデータは１つ以上、好ましくは複数存在する。
【００１５】
なお、本発明においては、コンテンツが、上記（２）に記載の断片データと、上記（３）に記載のマスキングが付されたデータおよび当該マスキングを解除するデータとが組み合わされることにより完成されるようにしてもよい。
【００１６】
（４）
本発明のコンテンツ提供システムにおいては、複数の部分データを提供するサーバを含み、タグが、少なくとも当該サーバのＵＲＬを含む。通信端末は、タグから少なくともサーバのＵＲＬを取得し、サーバにアクセスして、部分データをダウンロードする。
【００１７】
この場合、タグが簡易であるため、データ提供媒体にタグを付すことが簡単である。タグは、ＵＲＬを含む情報をパターン表示したバーコードまたは多次元コードであってもよいし、当該情報を記憶させた無線タグであってもよい。
【００１８】
（５）
本発明のコンテンツ提供システムにおいては、タグは、部分データを記憶した無線タグであってよく、通信端末は、無線タグと通信して部分データを取得するものであってよい。
【００１９】
この場合、タグから直接部分データを取得することができるため、近距離通信環境があれば即座に部分データを取得することができる。
【００２０】
（６）
本発明のコンテンツ提供システムにおいては、通信端末は、少なくとも部分データおよび他の部分データの複合処理を行い、コンテンツを利用可能とするものであってよい。
【００２１】
この場合、一台の通信端末内で断片データを複合させることで、当該一台の通信端末でコンテンツを完成させて楽しむことができる。
【００２２】
（７）
本発明のコンテンツ提供システムにおいては、コンテンツの利用は、部分データをダウンロードした通信端末による当該部分データの表示または再生と、他の部分データをダウンロードした他の通信端末による当該他の部分データの表示または再生とを、同時にまたは既定の順番で行ってよい。
【００２３】
この場合、たとえば、複数のユーザがそれぞれの通信端末を持ち寄るなどにより、複数台の通信端末を用いてコンテンツを完成させて楽しむことができる。
【００２４】
（８）
本発明のコンテンツ提供システムにおいては、コンテンツは、静止画、音楽、文章、書籍、動画、およびゲームアイテムの少なくともいずれかであってよい。
このように、本発明では、様々な種類のコンテンツを完成させて楽しむことができる。
【図面の簡単な説明】
【００２５】
【図１】本発明のコンテンツ提供システムの第１実施形態を示す模式的構成図である。
【図２】本発明における画像コンテンツおよび部分データの一例を示す模式図である。
【図３】本発明における画像コンテンツおよび部分データの他の例を示す模式図である。
【図４】本発明における画像コンテンツおよび部分データの他の例を示す模式図である。
【図５】本発明における音楽コンテンツおよび部分データの一例を示す模式図である。
【図６】本発明における音楽コンテンツおよび部分データの他の例を示す模式図である。
【図７】本発明における音楽コンテンツおよび部分データの他の例を示す模式図である。
【図８】本発明における音楽コンテンツおよび部分データの他の例を示す模式図である。
【図９】本発明における音楽コンテンツおよび部分データの他の例を示す模式図である。
【図１０】第１実施形態のコンテンツ提供システムによる処理工程の一例を示すフローチャートである。
【図１１】第１実施形態のコンテンツ提供システムによる処理工程の他の例を示すフローチャートである。
【図１２】第１実施形態のコンテンツ提供システムによる処理工程の他の例を示すフローチャートである。
【図１３】本発明のコンテンツ提供システムの第２実施形態を示す模式的構成図である。
【図１４】本発明のコンテンツ提供システムの第３実施形態を示す模式的構成図である。
【図１５】第３実施形態のコンテンツ提供システムによる処理工程の一例を示すフローチャートである。
【図１６】第３実施形態のコンテンツ提供システムによる同期再生の一例を示す模式図である。
【図１７】第３実施形態のコンテンツ提供システムによる同期再生の他の例を示す模式図である。
【図１８】第３実施形態のコンテンツ提供システムによる連続再生の一例を示す模式図である。
【発明を実施するための形態】
【００２６】
以下、図面を参照しつつ、本発明の実施の形態について説明する。以下の説明では、同一の要素には同一の符号を付しており、それらの名称および機能も同じである。したがって、それらについての詳細な説明は繰り返さない。
【００２７】
［第１実施形態］
（システム基本構成）
図１は、本発明のコンテンツ提供システムの第１実施形態を示す模式的構成図である。
図１に示すコンテンツ提供システム１００は、商品２００と通信端末３００とコンテンツの部分データサーバ４００とを含む。商品２００には二次元コード２５０が付されており、通信端末３００はインターネットＮを介して部分データサーバ４００と接続可能である。
【００２８】
本発明のコンテンツ提供システム１００においては、データ提供媒体として、商取引対象となる有体物である商品２００が用いられる。商品２００としては、食料品（飲料、食品など）、消耗品（日用品、衣料品など）、娯楽品（音楽または映像を記録した媒体、玩具など）に挙げられるように、一個人による購入頻度が比較的高いものであることが好ましい。二次元コード２５０が商品２００に付される態様としては、商品２００自体、商品２００のパッケージ、または商品２００に取り付けられた札（商品タグ、下げ札など）へ印刷される態様などが挙げられる。なお、二次元コード２５０は、商品２００購入前の段階で不正に読み取られないように遮蔽されていることが好ましい。遮蔽の態様としては、たとえば、商品２００のパッケージの中に二次元コード２５０を付す、二次元コード２５０の表面を再封止不能に封止する、などの態様が挙げられる。
【００２９】
（システムの処理概要）
通信端末３００のユーザは、商品２００を購入した後、商品２００に付された二次元コード２５０を通信端末３００の撮像機能を用いて読み取る。通信端末３００は、読み取った二次元コード２５０を画像解析し、部分データサーバ４００に保存された特定の部分データのＵＲＬを含む情報を抽出する。さらに通信端末３００は、抽出したＵＲＬ等を用いてインターネットＮを介して部分データサーバ４００のサイトにアクセスし、当該特定の部分データのダウンロード要求を行う。ダウンロード要求が受け付けられると、部分データは部分データサーバ４００からダウンロードされ、通信端末３００に、または通信端末３００によって使用可能なインターネットＮ上のクラウド環境に保存される。
【００３０】
商品２００それぞれに付された二次元コード２５０には、同じ情報を格納してもよいし、異なる情報を格納（それぞれ二次元コード２５０ａ，２５０ｂ，２５０ｃとして）してもよい。通信端末３００のユーザが新たな商品２００を再び購入すると、新たな商品２００に付された二次元コード２５０から別の部分データをダウンロードすることができる。このようにして、通信端末３００のユーザが商品２００を購入するたびに、コンテンツの部分データをダウンロードして収集することができる。このようにして、本発明のコンテンツ提供システム１００は、通信端末３００のユーザが商品２００を購入するごとに部分データのダウンロード権を与え、当該ユーザに、コンテンツを構成するために必要な部分データを全て揃えてコンテンツを利用可能にさせたい欲求を生じさせて、商品２００のリピート購入を促すことができる。したがって、商品２００の販売促進を図ることができる。
【００３１】
なお、二次元コード２５０には、上述のＵＲＬ情報の他に、その二次元コード２５０が付された商品２００固有の識別情報が含まれてよい。この場合、当該二次元コード２５０を読みとった通信端末３００が部分データサーバ４００のサイトにアクセスする場合は、ＵＲＬ情報とともに商品２００の識別情報も送信されるため、商品２００に付された二次元コードに基づいているという点で正当なダウンロード要求であることを判断できる。
さらにこの場合、当該商品２００の識別情報を伴うダウンロード回数を１回きりとすることもできる。これによって、正当な購入者である通信端末３００のユーザが一度ダウンロードを完了した後において、同じ識別情報を伴ったダウンロード要求があった場合には当該要求を拒否することができる。したがって、正当な購入者以外の者による不当なダウンロードを排除することができる。
【００３２】
さらに、通信端末３００のユーザが最初に部分データサーバ４００のサイトにアクセスする場合に、通信端末３００の識別情報を登録させるようにしてもよい。この場合、登録された通信端末３００によるダウンロード歴のある部分データについて、過去のダウンロード時と同一の商品２００の識別情報を伴って再度のダウンロード要求があった場合であっても、当該再度のダウンロード要求元が登録されている通信端末３００であれば、同じ部分データの再ダウンロードを許可することができる。したがって、通信端末３００のユーザが、以前に当該サイトでダウンロードしたことがある部分データを紛失または破損した事情がある場合でも、同じ部分データを再ダウンロードすることができる。
【００３３】
なお、完成させるべきコンテンツおよび部分データのそれぞれは、ユーザによる選択を経て決定されるようにしてもよいし、ユーザに選択の余地はなく、システム側で決定されるようにしてもよい。
【００３４】
（コンテンツ）
コンテンツの具体例としては、静止画、音楽、文章、書籍、動画、およびゲームアイテムなどが挙げられる。音楽としては、完全な楽曲データで構成されるもの、および当該完全な楽曲データから目的に応じて特定の音声またはパートを消去した楽曲データで構成されるもの（カラオケ、マイナスワンなど。本発明においては、これらも完全なコンテンツとして位置付ける。）が挙げられる。コンテンツがユーザカスタマイズによって完成されるものである場合、ユーザの主観によるカスタマイズ完了品を、完全なコンテンツとして位置付ける。文章としては、コラム、占い、クイズなどが挙げられる。書籍としては、小説、絵本、漫画などが挙げられる。静止画としては、絵画、ＣＧ（コンピュータグラフィック）などが挙げられる。これらは、壁紙用、観賞用、遊技用に用いられてよい。動画としては、映画、ドラマ、番組などが挙げられる。これらは、観賞用、遊技用に用いられてよい。ゲームアイテムとしては、アバター、アバターのカスタマイズアイテム、アバターに所持させる武器、その他ゲーム内アクセサリが挙げられる。
【００３５】
（部分データ）
部分データは、１個のコンテンツに対して複数存在する。コンテンツのデータ量およびコンテンツ使用料などに応じて、部分データの数は適宜調整される。たとえば、コンテンツのデータ量が小さいものおよびコンテンツ使用料が低廉なものほど、１個のコンテンツを構成するために必要な部分データの数を少なくすることができる。
【００３６】
部分データは、複合プログラムを用いて複合することにより、完全なコンテンツのデータに変換される。この場合、コンテンツに種類に応じた公知の複合プログラムが用いられる。たとえばコンテンツが音楽の場合はミキシングプログラム、コンテンツが静止画または動画の場合は画像合成プログラムなどが用いられる。複合プログラムは、通信端末３００にインストールされたプログラムであってもよいし、通信端末３００によって使用可能なクラウド上のプログラムであってもよい。
【００３７】
部分データの態様の一例として、コンテンツの断片データが挙げられる。断片データは、複合プログラムによって互いにつなぎ合わされることによって、コンテンツの完全データを構成する。
部分データの態様の他の例として、コンテンツのデータの一部にマスキングが付されたデータと、当該マスキングを解除するためのデータとが挙げられる。前者のデータ１個と、後者のデータ１個または複数個とによって、コンテンツの完全データを構成するようにすることができる。この場合、前者のデータのマスキング部分は、複合プログラムによって、後者のデータを用いて解除され、当該マスキング部分が全て解除されることによってコンテンツの完全データを構成する。
【００３８】
部分データが、全体としてのコンテンツデータのどの部分を構成するものとするかについては、コンテンツの種類に応じて決定されてよい。
たとえばコンテンツが静止画である場合、部分データは、領域（後述図２、図３参照）およびカラーモデル（ＲＧＢ、ＨＬＳなど）（後述図４参照）の少なくともいずれかで分けた一部のデータであってよい。
コンテンツが音楽である場合、部分データは、音楽のデータをパート（後述図５、図６、図７、図８参照）および時間（後述図９参照）の少なくともいずれかで分けた場合の一部のデータであってよい。
コンテンツが文章である場合、部分データは、文章のデータを、文章の内容に関連して（たとえば起承転結ごとに、段落ごとに、前提と結果それぞれに、または質問と答えそれぞれに）分けた場合の一部のデータであってもよいし、文章の内容に無関係に分けた場合の一部のデータであってよい。
コンテンツが書籍である場合、部分データは、書籍データをページまたは章で分けた一部のデータであっても良いし、書籍の内容に無関係に分けた場合の一部のデータであってもよい。
コンテンツが動画である場合、部分データは、再生時間（たとえばチャプタ）で分けた一部のデータであってもよいし、動画の内容に無関係に分けた場合の一部のデータであってもよい。さらに、上述の静止画と同様に、領域およびカラーモデル（ＲＧＢ、ＨＬＳなど）の少なくともいずれかで分けた一部のデータであってよい。
上記の他にも、部分データが、全体としてのコンテンツデータのどの部分を構成するものとするかについては、適宜決定されてよい。
【００３９】
（部分データ具体例）
具体的に、図２（ａ）から図２（ｃ）に、コンテンツが静止画であり、且つ部分データが断片データである場合の例を模式的に示す。
図２（ａ）から図２（ｃ）において、図２（ｃ）がコンテンツデータ５００の完成形である。コンテンツ５００は、領域が異なる９個の断片データを揃えることによって完成させることができる。
【００４０】
図２（ａ）に示す断片データ５０１は、９個の断片データのうちの１個である。断片データ５０１をダウンロードした後、図２（ｂ）に示すように、断片データ５０２、断片データ５０３と順次ダウンロードし、合成される。すべての断片データがダウンロードされると、図２（ｃ）に示すようにコンテンツ５００が完成する。
【００４１】
図３（ａ）から図３（ｃ）に、コンテンツが静止画であり、且つ部分データがマスキングが付されたデータおよびマスキングを解除するデータである場合の例を模式的に示す。
図３（ａ）から図３（ｃ）において、図３（ｃ）がコンテンツデータ５００の完成形である。コンテンツデータ５００は、すべての領域にマスキングが付されたデータと、９個のマスキングを解除するデータとを揃えることによって完成させることができる。
【００４２】
図３（ａ）では、すべての領域にマスキングが付されたデータ５１０に、特定領域のマスキングを解除するデータ５１１が合わさることにより、当該特定領域が感知できる状態となる。図３（ｂ）に示すように、他の特定領域のマスキングを解除するデータ５１２，５１３を順次ダウンロードし、合成される。すべてのマスキング解除データがダウンロードされると、図３（ｃ）に示すようにコンテンツデータ５００が完成する。
なお、マスキングが付されたデータ５１０は、一部がマスキングされていることで、最初から特定の領域が見えている状態（図３（ａ）の状態）のものとしてダウンロードされてもよい。
【００４３】
図４に、コンテンツが静止画であり、且つ部分データがカラーモデルで分けた一部のデータである場合の例を模式的に示す。
図４に示されるように、コンテンツデータ５００は、ＲＧＢカラーモデルに基づいた断片データ（Ｒレイヤーデータ５２０Ｒ、Ｇレイヤーデータ５２０Ｇ、およびＢレイヤーデータ５２０Ｂ）を重ね合わせることにより完成させることができる。
なお、コンテンツデータ５００は、マスキングが付されたデータと、当該マスキングをＲレイヤー、ＧレイヤーおよびＢレイヤーそれぞれの単位で解除するデータとを合わせることによって完成させてもよい。
【００４４】
図５から図８に、コンテンツが音楽であり、且つ部分データが演奏パートで分かれた断片データである場合の例を模式的に示す。
図５（ａ）に示されるように、ボーカルパートの断片データ５２０Ｖｏ、ギターパートの断片データ５２０Ｇｔ、ベースパートの断片データ５２０Ｂａ、およびドラムパートの断片データ５２０Ｄｒが揃うことにより、図５（ｂ）に示されるコンテンツ５２０が完成する。
【００４５】
図５（ａ）に示す部分データはそれぞれ断片データであるため、ユーザによるカスタマイズに対する親和性が大きい。たとえば、図６に示すように、ボーカルパートの断片データ５２０Ｖｏａに置き換えることで、別のコンテンツ５２０ａを完成させることができる。また、図７に示すように、ギターパートに断片データＧｔｂをさらに足し合わせることで、さらに別のコンテンツ５２０ｂを完成させることができる。
【００４６】
なお、図８（ａ）に示されるような、一部の演奏パートがマスキングされたデータ５３０であって、ドラムパートのデータ５３０Ｄｒのみマスキングが除外されたデータに、図８（ｂ）に示すように、ギターパートのマスキングを解除するデータ５３０Ｇｔを合わせ、図８（ｃ）に示すように、ボーカルパートおよびベースパートのマスキングを解除するデータ５３０Ｖｏ，５３０Ｂａをそれぞれ同様に合わせることにより、コンテンツ５２０を完成させることができる。
【００４７】
上記のほか、図９に示すように、部分データは時間によって分けた場合の一部のデータであってよい。具体的には、図９（ａ）に示すような、イントロ部分の断片データ５５１、Ａメロ部分の断片データ５５２、Ｂメロ部分の断片データ５５３、サビ部分の断片データ５５４を揃えることによって、図９（ｂ）に示すコンテンツ５５０を完成させることができる。
【００４８】
（システム処理の具体例）
図１０に、本実施形態のコンテンツ提供システム１００による処理工程の一例をフローチャートで示す。
通信端末３００（図１参照）のユーザは、商品２００を購入した後、商品２００に付された二次元コード２５０を通信端末３００の撮像機能を用いて読み取る（ステップＳ１１）。通信端末３００は、読み取った二次元コード２５０を画像解析し、部分データサーバ４００のＵＲＬを含む情報を抽出する。さらに通信端末３００は、抽出したＵＲＬ等を用いてインターネットＮを介して部分データサーバ４００のサイトにアクセスする（ステップＳ１２）。
【００４９】
部分データサーバ４００では、二次元コード２５０から読み取ったデータに対応する断片データが有るか否かを判断する（ステップＳ１３）。このような処理がなされる場合の態様の例としては、購入する商品２００のそれぞれに、当たりまたは外れが設定されている例が挙げられる。この場合、当たりであれば、対応する断片データが有るとして、断片データを取得でき、外れであれば、対応する断片データが無いとして、断片データは取得できない。他の例としては、特定の二次元コード２５０（たとえば二次元コード２５０ａ）からの断片データの取得可能回数を制限（たとえば１回に制限）している例が挙げられる。この場合、断片データの取得可能回数を制限値以下であれば、対応する断片データが有るとして、断片データを取得でき、制限値を上回っていれば、対応する断片データが無いとして、断片データは取得できない。
【００５０】
対応する部分データがある場合、部分データサーバ４００が提供可能な複数の断片データの中から、送信すべき１つの断片データをどのように分配するかについての基準が有るか否かを判断する（ステップＳ１４）。そのような基準が設定されていなければ、部分データサーバ４００は、ランダムに選択された第ｋ断片データ（ｋは１≦ｋ≦ｎを満たす整数。但し、ｎは、コンテンツを完成させるために必要な断片データの数を示す整数。以下において同様。）を通信端末３００に送信する（ステップＳ１５）。
【００５１】
分配についての基準が有る場合、たとえば通信端末３００のＩＰアドレスの文字列特性に応じて送信すべき断片データを決定することができる（ステップＳ１６）。本実施形態の場合、１人のユーザが繰り返し商品２００を購入して、購入回数に応じて通信を行うことを前提としているため、ＩＰアドレスは動的のものであることが好ましい。また、分配についての基準は、ＩＰアドレスの他にも、通信端末３００の識別情報であればどのようなものであってもよい。
【００５２】
一例として、ＩＰアドレスを材料としてハッシュ計算を行い、通信端末３００へ送信すべきデータを決定することができる。この場合、ハッシュ値がＬと算出された場合、ＩＰアドレスの文字列が特性Ｌを有するとして、部分データサーバ４００は、第ｌ断片データを通信端末３００に送信し（ステップＳ１７）、ハッシュ値がＭと算出された場合、ＩＰアドレスの文字列が特性Ｍを有するとして、部分データサーバ４００は、第ｍ断片データを通信端末３００に送信する（ステップＳ１８）。なお、ｌおよびｍは、いずれも１以上ｎ以下を満たす整数である。他のハッシュ値が算出された場合、部分データサーバ４００は、他の断片データを通信端末３００に送信する（図示せず）。
【００５３】
他の例として、ＩＰアドレスの下から特定の桁数を構成する数字に応じて、通信端末３００へ送信すべきデータを決定することができる。この場合、たとえば下２桁がＬである場合、ＩＰアドレスの文字列が特性Ｌを有するとして、部分データサーバ４００は、第ｌ断片データを通信端末３００に送信し（ステップＳ１７）、下２桁がＭである場合、ＩＰアドレスの文字列が特性Ｍを有するとして、部分データサーバ４００は、第ｍ断片データを通信端末３００に送信する（ステップＳ１８）。下２桁が他の値である場合、部分データサーバ４００は、他の断片データを通信端末３００に送信する（図示せず）。
【００５４】
図１１に、本発明のコンテンツ提供システム１００による処理工程の他の例をフローチャートで示す。
図１１に示す例においては、商品２００に付された二次元コード２５０ａ，２５０ｂ，２５０ｃそれぞれに応じて、ダウンロード可能な部分データが決まっている。この場合、商品２００ごとに商品ＩＤが設定されており、二次元コード２５０ａ，２５０ｂ，２５０ｃそれぞれに異なる商品ＩＤが組み込まれている。
【００５５】
この例においては、通信端末３００のユーザは、商品２００を購入した後、商品２００に付された二次元コード２５０を通信端末３００の撮像機能を用いて読み取る（ステップＳ２１）。通信端末３００は、読み取った二次元コード２５０を画像解析し、部分データサーバ４００に保存された特定の部分データのＵＲＬと商品ＩＤとを含む情報を抽出する。さらに通信端末３００は、抽出したＵＲＬと商品ＩＤとを含む情報を用いて、インターネットＮを介し、部分データサーバ４００のサイトにアクセスする（ステップＳ２２）。この際、商品ＩＤの情報も部分データサーバに送信される。
【００５６】
部分データサーバ４００では、商品ＩＤに応じてあらかじめ割り当てられている部分データを選出する（ステップＳ２３）。商品ＩＤがＸＸＸＸＸである場合、部分データサーバ４００は、第ｘ断片データを通信端末３００に送信し（ステップＳ２４）、商品ＩＤがＹＹＹＹＹである場合、部分データサーバ４００は、第ｙ断片データを通信端末３００に送信する（ステップＳ２５）。なお、ｘおよびｙは、いずれも１以上ｎ以下を満たす整数である。商品ＩＤが他の文字列である場合、部分データサーバ４００は、他の断片データを通信端末３００に送信する（図示せず）。
【００５７】
図１２に、本発明のコンテンツ提供システム１００による処理工程の他の例をフローチャートで示す。
図１２に示す例において、コンテンツ提供システム１００は、部分データとして、マスキングされたデータおよびマスキングを解除するデータを提供する。
【００５８】
この例においても、図１０と同様に、通信端末３００のユーザは、商品２００に付された二次元コード２５０を通信端末３００の撮像機能を用いて読み取り（ステップＳ３１）、インターネットＮを介して部分データサーバ４００のサイトにアクセスし（ステップＳ３２）、部分データサーバ４００では、二次元コード２５０から読み取ったデータに対応する断片データが有るか否かを判断する（ステップＳ３３）。
【００５９】
図１２においては、特定のコンテンツを構成する部分データとして最初のダウンロード要求であるか否かを判断する（ステップＳ３４）。最初のダウンロード要求である場合（Yes）、部分データサーバ４００から通信端末３００に、マスキングされたデータが送信される（ステップＳ３５）。最初のダウンロード要求でない場合（No）、およびマスキングされたデータが送信された（ステップＳ３５）後には、マスキング解除データの分配基準の有無が判断される（ステップＳ３６）。
【００６０】
マスキング解除データの分配基準の有無の判断（ステップＳ３６）以降は、図１０における断片データがマスキング解除データに代替されたことを除いて図１０と同様に処理される。したがって、当該基準が設定されていなければ、部分データサーバ４００は、ランダムに選択された第ｋマスキング解除データ（ｋは１≦ｋ≦ｎを満たす整数。但し、ｎは、コンテンツを完成させるために必要なマスキング解除データの数を示す整数。）を通信端末３００に送信する（ステップＳ３７）。分配についての基準が有る場合、たとえば通信端末３００のＩＰアドレスの文字列特性に応じて送信すべきマスキング解除データを決定することができる（ステップＳ３８）。ＩＰアドレスの文字列が特性Ｌを有する場合、部分データサーバ４００は、第ｌマスキング解除データを通信端末３００に送信し（ステップＳ３９）、ＩＰアドレスの文字列が特性Ｍを有する場合、部分データサーバ４００は、第ｍマスキング解除データを通信端末３００に送信する（ステップＳ４０）。なお、ｌおよびｍは、いずれも１以上ｎ以下を満たす整数である。他の特性を有する場合、部分データサーバ４００は、他のマスキング解除データを通信端末３００に送信する（図示せず）。
【００６１】
図１２における、マスキング解除データの分配基準の有無の判断（ステップＳ３６）以降は、図中のステップＳ３６からＳ４０の代わりに、図１１のＳ２３からＳ２５に相当する工程（商品ＩＤに応じてあらかじめ割り当てられているマスキング解除データを選出し、送信する工程）を経てもよい。
【００６２】
部分データは、収集の都度、通信端末３００の操作によって複合されてもよいし、コンテンツに必要な部分データの全てが揃わない限り複合されないようにしてもよい。また、収集の都度、通信端末３００によって複合されてよいものとした場合、必要な部分データが欠けている状態の不完全な複合データの表示または再生を可能としてもよいし、コンテンツの完全データに複合されない限り表示および再生できないようにしてもよい。
【００６３】
（変形例）
本実施形態では、二次元コードを提示するデータ提供媒体として、商取引対象となる有体物である商品を用いる例を挙げたが、二次元コードを提示するデータ提供媒体は、施設（飲食施設、娯楽施設、観光施設、公共施設、文化施設など）であってもよい。二次元コードが提示される態様としては、施設内の案内板、看板その他の設置物に表示される態様、施設の利用券または領収証に表示される態様などが挙げられる。二次元コードの提示態様としては、デジタル表示および非デジタル表示のいずれであってもよい。
【００６４】
この場合、本発明のコンテンツ提供システム１００は、通信端末３００のユーザが同一施設または同系列施設を利用するたびに部分データのダウンロード権を与え、当該ユーザに、コンテンツを構成するために必要な部分データを全て揃えてコンテンツを利用可能にさせたい欲求を生じさせて、当該施設のリピート利用を促すことができる。これによって、当該施設では集客促進を図ることができる。
【００６５】
二次元コード２５０を提示するデータ提供媒体は、広告であってもよい。広告媒体は、マス媒体、ＳＰ（セールスプロモーション）媒体、インターネット媒体のいずれであってもよい。二次元コードの提示態様としては、広告媒体に応じ、デジタル表示および非デジタル表示のいずれであってもよい。デジタル表示の場合は、表示媒体に常時表示する態様であってもよいし、表示媒体に広告を動画または静止画などで表示し、すべて表示し終わった後に二次元コードを表示する態様であってもよい。
【００６６】
この場合、本発明のコンテンツ提供システム１００は、通信端末３００のユーザが当該広告を見るたびに部分データのダウンロード権を与え、当該ユーザに、コンテンツを構成するために必要な部分データを全て揃えてコンテンツを利用可能にさせたい欲求を生じさせて、当該広告の閲覧を促すことができる。これによって、広告効果の向上を図ることができる。
【００６７】
コンテンツは、有償および無償を問わない。コンテンツが有償である場合、コンテンツに対する対価（コンテンツ使用料）は、データ情報媒体の取得（データ情報媒体が商品の場合）、利用（データ情報媒体が施設の場合）または開示（データ情報媒体が広告の場合）にかかる料金に含ませることができる。この場合、使用料は、当該コンテンツを構成するために必要な部分データそれぞれに割り振られることができる。
【００６８】
データ情報媒体の取得にかかる料金としては、商品の購入金額が挙げられ、データ情報媒体の利用にかかる料金としては、施設利用費が挙げられる。１回の商品購入金額または１回の施設利用費に含ませられる使用料は、割り振られた１個の部分データ相当の額のみであるため、当該コンテンツデータ自体を利用する場合の使用料に比べて低廉となる。このため、ユーザにとって１回当たりの使用料の負担が少なく済む。したがって、繰り返し商品購入または繰り返し施設利用を円滑にすることができる。さらに、たとえば消耗品、食料品などの単価が安く購入回数の多い商品をデータ情報媒体にしやすい。
【００６９】
データ情報媒体の開示にかかる料金としては、広告費が挙げられる。１回の広告費に含ませられる使用料は、割り振られた１個の部分データ相当の額のみであるため、当該コンテンツデータ自体を利用する場合の使用料に比べて低廉となる。このため、コンテンツの連動という付加価値向上に係る広告１回あたりの費用を低廉に抑えることができる。したがって、広告主にとって高い広告費対訴求効果が期待できる。
【００７０】
また、本発明のコンテンツ提供システムは、データ情報媒体の取得、利用または開示ごとに、コンテンツの部分データのダウンロード権を与えられるため、ユーザにとって、商品の購入、施設の利用、広告の閲覧などの機会を有効利用することができる。このことは、たとえば従来のポイント還元システム（商品の購入、施設の利用、広告の閲覧ごとにポイントが付与されるシステム）が、還元ポイントの保有数が消費できる（交換価値を有する）ほどには貯まりにくいこと、ポイントの有効期限途過、およびポイント消費忘れを招来しやすいことと異なる。
【００７１】
二次元コード２５０に含まれる情報は、上述のＵＲＬ情報に代えて、メールアドレス情報であってもよい。この場合、ユーザは、読み取ったメールアドレス宛てに空メールを送ることによって、部分データサーバ４００へアクセスするＵＲＬを通知するメールの送信要求、または、部分データが添付されたメールの送信要求を行うことができる。
【００７２】
二次元コード２５０は、一次元バーコードまたは３次元以上の多次元コードに代替えしてもよい。３次元コード以上の多次元コードは、二次元コード２５０のマトリクスパターンを基調とし、マトリクスにおけるモジュールに、色、形状、モジュールパターンおよび記号の少なくともいずれかを組み合わせたものであってよい。
【００７３】
二次元コード２５０は、部分データサーバ４００へアクセスするＵＲＬそのものを示す文字列に代替えしてもよい。この場合、ユーザは、通信端末３００のブラウザに当該ＵＲＬを直接書き込んで部分データサーバ４００へアクセスすればよい。また、二次元コード２５０は、メールアドレスの文字列に代替えしてもよい。この場合、ユーザは、当該メールアドレスに空メールを送ることによって、部分データサーバ４００へアクセスするＵＲＬを通知するメールの送信要求を行うことができる。
【００７４】
二次元コード２５０は、無線タグに代替えしてもよい。無線タグは、具体的にはＲＦＩＤ（radio frequency identifier）であってよく、通信規格は問わない。無線タグには、パッシブ型、アクティブ型（ビーコン型）およびセミアクティブ型が含まれる。この場合、無線タグと通信端末３００とが無線通信を行うことにより、ＵＲＬを含む上述と同様の情報を通信端末３００のセンサが読み取り、その後、インターネットＮを介して部分データサーバ４００のサイトにアクセスすることで、同様に部分データをダウンロードすることができる。
無線タグを用いる場合、データ提供媒体は、商品、施設、広告のいずれであってもよい。無線タグが付される態様によっては、無線タグは使い捨てのものにすることもできる。
【００７５】
さらに、二次元コード２５０は、音声再生モジュールおよびスピーカを備えたチップに代替してもよい。この場合、商品２００のパッケージに当該チップが貼付、組み込みなどにより付されており、パッケージの開封などによりチップ内の音声モジュールに録音された音が再生される。再生された音はスピーカから発せられ、通信端末３００の音声認識機能を用いて取得され、ダウンロード要求用のデータへ変換される。さらに、通信端末３００は、変換されたダウンロード用のデータを用いてインターネットＮを介して部分データサーバ４００アクセスし、部分データのダウンロード要求を行う。
あるいは、施設に備え付けられた音声再生機によってスピーカから発せられた音、または、広告としてのデジタルサイネージの音声再生機能によりスピーカから発せられた音を、上記と同様に通信端末３００の音声認識機能を用いて取得してもよい。
【００７６】
［第２実施形態］
図１３は、本発明のコンテンツ提供システムの第２実施形態を示す模式的構成図である。第２実施形態では、主に第１実施形態と異なる点について説明する。
図１３に示すコンテンツ提供システム１００は、データ提供媒体としての施設２１０に設置された無線タグ２６０と、通信端末３００とを含む。無線タグ２６０は、上述したように具体的にはＲＦＩＤ（radio frequency identifier）であってよく、通信規格は問わない。無線タグ２６０には、コンテンツの部分データが記憶されている。
【００７７】
通信端末３００のユーザが施設２１０を利用した際に、無線タグ２６０の設置場所で、通信端末３００によって無線タグ２６０との非接触無線通信を行う。これにより、部分データが通信端末３００に直接ダウンロードされる。通信端末３００のユーザが再び施設２１０を使用した際には再び通信端末３００によって無線タグ２６０から部分データをダウンロードする。
【００７８】
このようにして、本発明のコンテンツ提供システム１００は、通信端末３００のユーザが施設２１０を利用するごとに部分データのダウンロード権を与え、当該ユーザに、コンテンツを構成するために必要な部分データを全て揃えてコンテンツを利用可能にさせたい欲求を生じさせて、施設２１０のリピート利用を促すことができる。したがって、施設２１０への集客促進を図ることができる。
【００７９】
本実施形態では、データ提供媒体として施設２１０を挙げたが、既に述べたように、データ提供媒体は、商品または広告であってもよい。
また、無線タグ２６０は、データ提供媒体の種類に応じて、使い捨ての無線タグ、または、部分データの記憶が可能なデータ格納容量を有する１次元のバーコードまたは２次元以上の多次元コードに代替してもよい。
【００８０】
［第３実施形態］
図１４は、本発明のコンテンツ提供システムの第３実施形態を示す模式的構成図である。第３実施形態では、主に第１実施形態と異なる点について説明する。
図１４に示すコンテンツ提供システム１００は、商品２００と通信端末３００ｓ，３００ｔ，３００ｕ，３００ｖとを含む。
【００８１】
（システム処理概要）
本発明のコンテンツ提供システム１００においては、通信端末３００ｓのユーザ、通信端末３００ｔのユーザ、通信端末３００ｕのユーザ、および通信端末３００ｖのユーザが、それぞれ、商品２００を購入した後、二次元コード２５０ａ，２５０ｂ，２５０ｃ，２５０ｄを読み取って、インターネットＮを介して部分データサーバ４００から部分データをダウンロードする。
【００８２】
本実施形態においては、例えばコンテンツが音楽である場合、通信端末３００ｓ、通信端末３００ｔ、通信端末３００ｕ、および通信端末３００ｖによって、所定のタイミングで再生することによって、コンテンツを完成させることができる。たとえば部分データが音楽のデータをパートで分けた場合の一部のデータである場合、同期再生することでコンテンツを完成させることができる。たとえば部分データが音楽のデータを時間で分けた場合の一部のデータである場合、既定の順番で再生することでコンテンツを完成させることができる。
【００８３】
本実施形態においても、通信端末３００ｓ、通信端末３００ｔ、通信端末３００ｕ、および通信端末３００ｖへの部分データの取得は、それぞれ、第１実施形態で述べた処理が行われてよい。
【００８４】
本実施形態においては、通信端末３００ｓ、通信端末３００ｔ、通信端末３００ｕ、および通信端末３００ｖのユーザそれぞれが、部分データを１個ずつ取得するだけで、通信端末３００ｓ、通信端末３００ｔ、通信端末３００ｕ、および通信端末３００ｖ全てを用いることによりコンテンツを完成可能としてもよい。この場合、それぞれの通信端末に部分データの分配を行う基準（図１０のＳ１４、Ｓ１６参照）となりうる通信端末の識別情報として、静的ＩＰアドレスまたはｍａｃアドレスなどを用いることもできる。
【００８５】
あるいは、本実施形態においては、通信端末３００ｓ、通信端末３００ｔ、通信端末３００ｕ、および通信端末３００ｖのユーザそれぞれが、部分データを複数（ただしコンテンツデータの完成のために必要な数に満たない数）取得して不完全な複合部分データとして所有し、通信端末３００ｓ、通信端末３００ｔ、通信端末３００ｕ、および通信端末３００ｖ全てを用いることによりコンテンツを完成可能としてもよい。
【００８６】
（システム処理の具体例）
図１５に、本実施形態のコンテンツ提供システム１００によるコンテン完成のための処置工程の一例をフローチャートで示す。
通信端末３００ｓのユーザ、通信端末３００ｔのユーザ、通信端末３００ｕのユーザ、および通信端末３００ｖのユーザが、部分データをダウンロードしたそれぞれの通信端末３００ｓ，３００ｔ，３００ｕ，３００ｖを持ち寄った状態で、合奏モードがスタンバイされていることを確認する（ステップＳ５１）。合奏モードのスタンバイは、部分データの合奏を行うためのプログラムの起動などによって行われる。
【００８７】
合奏モードがスタンバイされていれば（Yes）、それぞれの通信端末３００ｓ，３００ｔ，３００ｕ，３００ｖが互いに接続されているかどうかを確認する（ステップＳ５２）。スタンバイされていなければ（No）、待機状態に戻る。
通信端末３００ｓ，３００ｔ，３００ｕ，３００ｖの接続は、有線および無線を問わず、規格も問わないが、特にＷｉＦｉ（登録商標）およびＢｌｕｅｔｏｏｔｈ（登録商標）などの無線接続であってよい。
【００８８】
接続が確認されれば（Yes）、合奏モードの種類を選択する（ステップＳ５３）。接続が確認されなければ（No）、再度接続を試みる。
合奏モードの種類の選択（ステップＳ５３）においては、たとえば同期再生モードおよび連続再生モードの選択を行うことができる。同期再生モードにおいては、全ての部分データを同じタイミングで再生開始する。連続再生モードにおいては、それぞれの部分データを、タイミングをずらして既定の順番で再生することにより、それぞれの部分データを連続させる。
【００８９】
同期再生モードを選択した場合、再生開始の合図の有無を判断する（ステップＳ５４）。再生開始の合図としては、いかなるトリガを使用することもでき、各通信端末の操作であってもよいし、各通信端末が検知可能な外部からの信号であってもよい。外部からの信号としては、音声認識センサによって検知される音声、加速度センサによって検知される振動、インカメラで検知される画像などが挙げられる。特定の音声（掛け声など）、特定の振動（端末を振る動作など）、特定の画像（インカメラにかざした手を動かす態様の画像など）などの再生開始の合図を検知することにより（Yes）、各通信端末が一斉にそれぞれの部分データを再生することにより、コンテンツが完成する（ステップＳ５５）。再生開始の合図が検知されない場合（No）は、待機状態に戻る。
【００９０】
連続再生モードを選択した場合、最初の部分データが再生されたかどうかを判断する（ステップＳ５６）。最初の部分データが再生された場合（Yes）は、引き続く部分データが所定のタイミングで順次再生されることにより、コンテンツが完成する（ステップＳ５７）。最初の部分データが再生されない場合（No）は、最初の部分データの再生まで待機する。
【００９１】
図１６および図１７に、同期再生について模式的に示し、図１８に、連続再生について模式的に示す。それぞれの図において、横軸ｔは時間である。
図１６においては、部分データは断片データである。通信端末３００ｓ，３００ｔ，３００ｕ，３００ｖが、それぞれ、部分データ５２０Ｖｏ，５２０Ｇｔ，５２０Ｂａ，５２０Ｄｒ（図５（ａ）参照）をダウンロード済みである場合、再生開始の合図に基づいて、それぞれの部分データ５２０Ｖｏ，５２０Ｇｔ，５２０Ｂａ，５２０Ｄｒが同じタイミング（startの位置）で一斉に再生する。
【００９２】
図１７においては、部分データはマスキングされたデータである。通信端末３００ｓ，３００ｔ，３００ｕ，３００ｖが、それぞれ、イントロ部分５４１以外がマスキングされたデータ５４０ａ、Ａメロ部分５４２以外がマスキングされたデータ５４０ｂ、Ｂメロ部分５４３以外がマスキングされたデータ５４０ｃ、サビ部分５４４以外がマスキングされたデータ５４０ｄをダウンロード済みである場合、再生開始の合図に基づいて、それぞれのデータが同じタイミング（startの位置）で一斉に再生する。
【００９３】
図１８においては、部分データは断片データである。通信端末３００ｓ，３００ｔ，３００ｕ，３００ｖが、それぞれ、部分データ５５１，５５２，５５３，５５４（図９参照）をダウンロード済みである場合、start1の位置で開始した最初の部分データ５５１の再生に基づき、部分データ５５２，５５３，５５４が、それぞれ、start2，start3，start4のタイミングで順次再生開始する。
【００９４】
なお、コンテンツが音楽以外のものであっても、通信端末３００ｓ、通信端末３００ｔ、通信端末３００ｕ、および通信端末３００ｖによる部分データの同時表示、または既定の順番で表示すること、または、同期再生または既定の順番で再生することによって、コンテンツを完成させることができる。この場合、それぞれの部分データは複合出来ないように処理されていてもよい。
【００９５】
［実施形態および変形例における各部と請求項の各構成要素との対応関係］
本発明においては、コンテンツ提供システム１００が「コンテンツ提供システム」に相当し、商品２００が「商品」および「データ提供媒体」に相当し、施設２１０が「施設」および「データ提供媒体」に相当し、二次元コード２５０，２５０ａ，２５０ｂ,２５０ｃが「タグ」および「データコード」に相当し、無線タグ２６０が「タグ」および「無線タグ」に相当し、通信端末３００，３００ｓ，３００ｔ，３００ｕ，３００ｖが「通信端末」に相当する。
【００９６】
本発明の好ましい実施形態は上記の通りであるが、本発明はそれらのみに限定されるものではなく、本発明の趣旨と範囲とから逸脱することのない様々な実施形態が他になされる。さらに、本実施形態において述べられる作用および効果は一例であり、本発明を限定するものではない。
【符号の説明】
【００９７】
１００  コンテンツ提供システム
２００  商品
２１０  施設
２５０，２５０ａ，２５０ｂ,２５０ｃ，２５０ｄ  二次元コード
２６０  無線タグ
３００，３００ｓ，３００ｔ，３００ｕ，３００ｖ  通信端末
【図１】
2015230659.tif 000003
【図２】
2015230659.tif 000004
【図３】
2015230659.tif 000005
【図４】
2015230659.tif 000006
【図５】
2015230659.tif 000007
【図６】
2015230659.tif 000008
【図７】
2015230659.tif 000009
【図８】
2015230659.tif 000010
【図９】
2015230659.tif 000011
【図１０】
2015230659.tif 000012
【図１１】
2015230659.tif 000013
【図１２】
2015230659.tif 000014
【図１３】
2015230659.tif 000015
【図１４】
2015230659.tif 000016
【図１５】
2015230659.tif 000017
【図１６】
2015230659.tif 000018
【図１７】
2015230659.tif 000019
【図１８】
2015230659.tif 000020